(57)【特許請求の範囲】
【請求項１】
上部フレームと底部と相対するはね上げ長側壁と相対する分割短側壁とからなる折り畳みコンテナーにおいて、前記相対するはね上げ長側壁の一方のはね上げ長側壁が、窓部が形成された正面形状が略Ｕ字状の基部と、窓部が形成された正面形状が略Ｕ字状の中間スライド部と、上部スライド部とにより構成されており、また、前記基部を構成する相対する縦長の側枠には、ガイド凹部が形成されており、更に、前記中間スライド部には、前記基部の相対する縦長の側枠に形成された前記ガイド凹部に圧入可能な縦長の側枠が形成されているとともに、前記縦長の側枠側の前記中間スライド部の板状部には、縦溝が形成されており、更にまた、前記上部スライド部には、前記中間スライド部に形成された前記縦溝に挿入されるガイドピンが突設されており、前記基部、中間スライド部及び上部スライド部とに分割された前記はね上げ長側壁がを組み立てられた際には、前記上部スライド部に形成された前記ガイドピンが、前記中間スライド部に形成された前記縦溝に挿入されるとともに、前記中間スライド部に形成された縦長の側枠が、前記基部に形成された前記ガイド凹部に圧入されるように構成することにより、前記上部スライド部が、前記中間スライド部に対して、上下方向にスライド可能とされ、且つ、前記中間スライド部が、前記基部に対して、上下方向にスライド可能とされていることを特徴とする折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
従来、額縁状の上部フレームと底部との間に配設される４枚の側壁のうち、一方の相対する長側壁を上下に分割し、分割した長側壁をヒンジで連結して構成し、また、もう一方の相対する短側壁の上端部を上部フレームに枢着し、上方に回動可能に構成された折り畳みコンテナーが知られており、箱型に組み立てられた折り畳みコンテナーは、上部フレームにその上端部が枢着された短側壁を、略垂直状態から、折り畳みコンテナーの内部方向に、略水平状態まで回動させ、次いで、上下に分割された長側壁を、ヒンジ部分で折り畳むことにより、箱型に組み立てられた折り畳みコンテナーを、高さの低いコンパクトな状態に折り畳むことができるように構成されている。そして、箱型に組み立てられた折り畳みコンテナーに収容されている物品を取り出したり、箱型に組み立てられた折り畳みコンテナーに物品を収容するために、上方に回動する短側壁に、上下方向にスライドするスライド窓を形成したものが知られている（例えば、本願出願人に係る実開平７−８２２０号公報等）。
【０００３】
【発明が解決しようとする課題】
収容されている物品を取り出したり、物品を収容したりするために、上方に回動する短側壁に窓部を形成した折り畳みコンテナーにおいては、窓部の開口面積が小さいために、物品の取り出し作業や物品の収容作業の作業性が悪いという問題があった。
【０００４】
本発明の目的は、上述した従来の折り畳みコンテナーが有する課題を解決することにある。
【０００５】
【課題を解決するための手段】
本発明は、上述した目的を達成するために、上部フレームと底部と相対するはね上げ長側壁と相対する分割短側壁とからなる折り畳みコンテナーにおいて、前記相対するはね上げ長側壁の一方のはね上げ長側壁が、窓部が形成された正面形状が略Ｕ字状の基部と、窓部が形成された正面形状が略Ｕ字状の中間スライド部と、上部スライド部とにより構成されており、また、前記基部を構成する相対する縦長の側枠には、ガイド凹部が形成されており、更に、前記中間スライド部には、前記基部の相対する縦長の側枠に形成された前記ガイド凹部に圧入可能な縦長の側枠が形成されているとともに、前記縦長の側枠側の前記中間スライド部の板状部には、縦溝が形成されており、更にまた、前記上部スライド部には、前記中間スライド部に形成された前記縦溝に挿入されるガイドピンが突設されており、前記基部、中間スライド部及び上部スライド部とに分割された前記はね上げ長側壁を組み立てた際には、前記上部スライド部に形成された前記ガイドピンが、前記中間スライド部に形成された前記縦溝に挿入されるとともに、前記中間スライド部に形成された縦長の側枠が、前記基部に形成された前記ガイド凹部に圧入されるように構成することにより、前記上部スライド部が、前記中間スライド部に対して、上下方向にスライド可能とされ、且つ、前記中間スライド部が、前記基部に対して、上下方向にスライド可能とされるように構成したものである。
【０００６】
【実施例】
以下に、本発明の実施例について説明するが、本発明の趣旨を越えない限り何ら、本実施例に限定されるものではない。
【０００７】
先ず最初に、本発明の折り畳みコンテナーの斜視図である図１を用いて全体構成について説明する。
【０００８】
折り畳みコンテナーは、上部フレーム１と、底部２と、上部フレーム１の長辺側に、その上端部が枢支された、折り畳みコンテナーの内側方向に回動可能に構成された側壁（以下、この側壁を「はね上げ長側壁」という。）３と、上部フレーム１の短辺側に位置する、上下に分割されているとともに、適当なヒンジ４ａを介して連結された側壁（以下、この側壁を「分割短側壁」という。）４とから構成されている。はね上げ長側壁３は、公知のように、はね上げ長側壁３の両端面の上端部に突設された短軸３ａを、上部フレーム１の短辺の両端部に形成された凹部や透孔１ａに挿入することにより、上部フレーム１の長辺側に枢支されている。分割短側壁４は、ヒンジ４ａを挟んで上方に位置する上部分割短側壁４’と、ヒンジ４ａを挟んで下方に位置する下部分割短側壁４”とから構成されており、上部分割短側壁４’の上端部は、公知のように、上部フレーム１の短辺側に適当なヒンジを介して枢支されており、また、下部分割短側壁４”の下端部は、公知のように、底部２の短辺側に適当なヒンジを介して枢支されている。
【０００９】
図１に示されている箱型状態の折り畳みコンテナーの略垂直状のはね上げ長側壁３を、図２に示されているように、折り畳みコンテナーの内部方向に回動させて、略水平状態とし、次いで、分割短側壁４を構成する上部分割短側壁４’と下部分割短側壁４”を連結しているヒンジ４ａを、折り畳みコンテナーの内部方向に移動させて、上部分割短側壁４’と下部分割短側壁４”とを重ねることにより、箱型状態の折り畳みコンテナーを、高さの低いコンパクトな状態に折り畳むことができるように構成されている。
【００１０】
本実施例においては、図３等に示されているように、相対するはね上げ長側壁３の一方のはね上げ長側壁３が、基部５、中間スライド部６及び上部スライド部７との３つに分割されている。
【００１１】
基部５は、凹部状に形成された窓部５ａを有する、正面形状が略Ｕ字状の板状部５ｂを有しており、板状部５ｂの両垂直端には、板状部５ｂに対して垂直に延在する、縦長の側枠５ｃが形成されており、また、側枠５ｃの先端には、板状部５ｂに略平行に延在する、縦長の前枠５ｄが形成されてる。更に、板状部５ｂの下端からは、前枠５ｄ方向に延在する底枠５ｅが形成されている。板状部５ｂと側枠５ｃと前枠５ｄとにより、基部５の両側部には、ガイド凹部５ｆが形成されている。５ｇは、前枠５ｄの上端部、中間部及び下端部に位置する部分を外側に膨出させて膨出部５ｇ１を形成することにより形成された係止凹部である。なお、窓部５ａの深さＤは、基部５の高さＨの６０％程度とすることが好ましい。
【００１２】
中間スライド部６は、凹部状に形成された窓部６ａを有する、正面形状が略Ｕ字状の板状部６ｂを有しており、板状部６ｂの両垂直端からは、板状部６ｂに対して垂直に延在するとともに、基部５のガイド凹部５ｆに挿入可能な縦長の側枠６ｃが形成されており、また、板状部６ｂの下端には、側枠６ｃ方向に延在する底枠６ｄが形成されている。板状部６ｂの側枠６ｃ側の両端部付近には、透孔のように、板状部６ｂを貫通することのない、窪み状の縦溝６ｅが形成されている。なお、中間スライド部６の側枠６ｃを、基部５のガイド凹部５ｆを構成する板状部５ｂと前枠５ｄとに圧接するように構成することにより、或いは／及び、中間スライド部６の側枠６ｃを、基部５のガイド凹部５ｆを構成する側枠５ｃに圧接するように構成することにより、中間スライド部６が、上記の圧接による接触摩擦により、簡単には、基部５に対して下方に移動しないように構成されている。なお、窪み状の縦溝６ｅは、上記のように、板状部６ｂを貫通することのない構成とすることが好ましいが、板状部６ｂを貫通する貫通溝として構成することもできる。
【００１３】
上部スライド部７は、正面形状が凸状の板状部７ａを有しており、板状部７ａには、周縁に沿って周状フランジ７ｂが、板状部７ａに略直角に形成されている。板状部７ａは、下方に位置する横長の下部長方形部７ａ１と、下部長方形部７ａ１より幅の狭い、上方に位置する横長の上部長方形部７ａ２とから構成されており、下部長方形部７ａ１の両端に位置する周状フランジ７ｂの垂直部７ｂ１の内側には、垂直部７ｂ１と平行で、且つ、垂直部７ｂ１と所定の間隔を置いて、内側垂直フランジ７ｃが形成されている。７ｄは、下部長方形部７ａ１と上部長方形部７ａ２との境目に形成された中間水平フランジであり、７ｅは、周状フランジ７ｂの下部水平部７ｂ２に隣接して形成された、内側垂直フランジ７ｃを連結する下部水平フランジである。
【００１４】
周状フランジ７ｂの垂直部７ｂ１と内側垂直フランジ７ｃの略中央部には、周状フランジ７ｂの垂直部７ｂ１と内側垂直フランジ７ｃとを連結する、上下方向に所定の間隔を置いて一対の水平連結梁７ｆが形成されており、水平連結梁７ｆの先端からは、互いに接近する方向に延在する係止突起７ｆ１が形成されている。７ｇは、板状部７ａの下部長方形部７ａ１と周状フランジ７ｂの垂直部７ｂ１と内側垂直フランジ７ｃと一対の水平連結梁７ｆとにより囲まれた空間部７ｈに挿入される係合部材であり、係合部材７ｇは、水平連結梁７ｆに形成された係止突起７ｆ１に当接する係止脚部７ｇ１と、係合部材７ｇの垂直壁７ｇ２に突設された半球状の係合突起７ｇ３とから形成されている。７ｉは、空間部７ｈ内に位置する板状部７ａの下部長方形部７ａ１の中央部に、下部長方形部７ａ１に対して略垂直に立設された柱状体であり、７ｊは、板状部７ａの下部長方形部７ａ１と係合部材７ｇ間に配設されるとともに、柱状体７ｉの周囲に配置されたコイルスプリングであり、係合部材７ｇを外方向に付勢し、係合部材７ｇの係合突起７ｇ３が、係止突起７ｆ１より、突出するように構成されている。
【００１５】
７ｋは、板状部７ａの下部長方形部７ａ１の下方の両端隅部で、且つ、係合部材７ｇが配設された側と反対側の平坦な面に突設されたガイドピンであり、基部５、中間スライド部６及び上部スライド部７との３つに分割されたはね上げ長側壁３を、後述するように組み立てた際には、ガイドピン７ｋは、中間スライド部６の板状部６ｂの両端部付近に形成された縦溝６ｅに挿入されるように構成されている。
【００１６】
基部５、中間スライド部６及び上部スライド部７との３つに分割されたはね上げ長側壁３を組み立てるには、上部スライド部７に形成されたガイドピン７ｋが、中間スライド部６の板状部６ｂに形成された縦溝６ｅに挿入されるように、中間スライド部６と上部スライド部７とを重ね、次いで、上部スライド部７が重ねられた中間スライド部６の側枠６ｃを、基部５に形成されたガイド凹部５ｆに挿入することにより、はね上げ長側壁３を組み立てる。
【００１７】
このようにして組み立てられたはね上げ長側壁３の短軸３ａを、上述したように、上部フレーム１の短辺の両端部に形成された凹部や透孔１ａに挿入することにより、はね上げ長側壁３を、上部フレーム１の長辺側に枢支するように構成されている。なお、短軸３ａは、長側壁３と一体に成形することもできるし、また、長側壁３とは、別体のパーツとして形成し、長側壁３に取着することもできる。
【００１８】
三分割されたはね上げ長側壁３が配設された側に位置する上部フレーム１の長辺の中央部領域には、はね上げ長側壁３の上部スライド部７の上部長方形部７ａ２が挿入可能な幅に切り欠かれた切欠部１ｂが形成されている。
【００１９】
箱型に組み立てられた折り畳みコンテナーが示されている図１及び図５に示されているように、三分割されたはね上げ長側壁３を構成する中間スライド部６及び上部スライド部７が、最大に延ばされ、はね上げ長側壁３の上部スライド部７の上部長方形部７ａ２が、上部フレーム１の長辺の中央部領域に形成された切欠部１ｂに挿入されている状態においては、上部スライド部７に配設された係合部材７ｇのコイルスプリング７ｊにより外方向に付勢された係合突起７ｇ３は、基部５の前枠５ｄに形成された係止凹部５ｇのうち、上端部に位置する係止凹部５ｇに嵌入されており、従って、上部スライド部７の下方への移動が阻止されており、また、中間スライド部６の板状部６ｂの両端部付近に形成された縦溝６ｅに挿入された、上部スライド部７に形成されたガイドピン７ｋは、上記縦溝６ｅの天部６ｅ１に隣接している。
【００２０】
図１及び図５に示されている状態から、上部スライド部７を押し下げると、コイルスプリング７ｊにより外方向に付勢された係合突起７ｇ３が、コイルスプリング７ｊの付勢力に抗して、上端部に位置する係止凹部５ｇから抜け出る方向に移動し、係止凹部５ｇから抜け出る。更に、上部スライド部７を押し下げて、図６及び図７に示されているように、上部スライド部７に配設された係合部材７ｇの係合突起７ｇ３を、基部５の前枠５ｄに形成された係止凹部５ｇのうちの中間部に位置する係止凹部５ｇに嵌入すると、上部スライド部７の上方に、折り畳みコンテナーに収容されている物品を取り出したり、折り畳みコンテナーに物品を収容するための開口Ｐ１が形成されることになる。なお、中間スライド部６は、上述したように、基部５との接触摩擦により、下方に移動しないように構成されている。中間スライド部６と基部５との間には接触摩擦がなく、中間スライド部６が、基部５に対して自由移動するように構成されている場合には、中間スライド部６の板状部６ｂの両端部付近に形成された縦溝６ｅに挿入された、上部スライド部７に形成されたガイドピン７ｋが、縦溝６ｅの天部６ｅ１に引っ掛かり、従って、中間スライド部６が、上部スライド部７から分離されるようなことはない。
【００２１】
図６及び図７に示されている状態から、上部スライド部７を、更に、押し下げると、コイルスプリング７ｊにより外方向に付勢された係合突起７ｇ３が、コイルスプリング７ｊの付勢力に抗して、中間部に位置する係止凹部５ｇから抜け出る方向に移動し、係止凹部５ｇから抜け出る。この状態から、更に、上部スライド部７を押し下げて、図８及び図９に示されているように、上部スライド部７に配設された係合部材７ｇの係合突起７ｇ３を、基部５の前枠５ｄに形成された係止凹部５ｇのうちの下端部に位置する係止凹部５ｇに嵌入する。この上部スライド部７の下動に伴って、上部スライド部７に形成されたガイドピン７ｋが、中間スライド部６の板状部６ｂの両端部付近に形成された縦溝６ｅの底部６ｅ２に当接し、基部５と接触摩擦状態の中間スライド部６を、この接触摩擦に抗して、下方に移動させ、従って、上部スライド部７の上方に、折り畳みコンテナーに収容されている物品を取り出したり、折り畳みコンテナーに物品を収容するための、上述した開口Ｐ１より大きな開口Ｐ２が形成されることになる。なお、上述したように、中間スライド部６が、基部５に対して自由移動するように構成されている場合には、中間スライド部６の底枠６ｄが、基部５の底枠５ｅに載置され、上部スライド部７に形成されたガイドピン７ｋは、中間スライド部６の板状部６ｂの両端部付近に形成された縦溝６ｅの適当な位置に位置することになる。
【００２２】
図８及び図９に示されているように、上部スライド部７の上方に大きな開口Ｐ２が形成された際には、中間スライド部６の凹部状の窓部６ａ形成する板状部６ｂの中央部上縁６ｂ１は、基部５の凹部状の窓部５ａを形成する板状部５ｂの中央部上縁５ｂ１より、上方に飛び出ないように構成されており、また、上部スライド部７の上端が、基部５の上記中央部上縁５ｂ１より、若干、突出する程度に構成されている。このように構成することにより、上部スライド部７の上方に形成される開口Ｐ２を、基部５の窓部５ａの大きさに近づけることができ、従って、物品の取り出し作業や物品の収容作業の作業性が向上する。
【００２３】
図１０に示されているように、段積みされた、箱型に組み立てられた折り畳みコンテナーＣ１、Ｃ２の下方に位置する折り畳みコンテナーＣ２から、収容されている物品を取り出したり、或いは、下方に位置する折り畳みコンテナーＣ２に、物品を収容する際には、一方のはね上げ長側壁３を構成する上部スライド部７を押し下げて、適当な開口Ｐ１、Ｐ２を形成することにより、物品の出し入れを行う。
【００２４】
本実施例においては、はね上げ側壁を、従来の折り畳みコンテナーのように短側壁ではなく長側壁に構成するとともに、一方のはね上げ長側壁３を、基部５、中間スライド部６及び上部スライド部７の３つに分割し、中間スライド部６及び上部スライド部７を上下方向にスライド可能としたので、開口を大きくすることができ、従って、物品の取り出し作業や物品の収容作業の作業性が向上する。
【００２５】
また、中間スライド部６は、直接には、基部５とは係合しておらず、上部スライド部７に係合するように構成されているので、中間スライド部６の厚さを薄くすることができ、従って、中間スライド部６が挿入される基部５のガイド凹部５ｆを狭くすることができ、ひいては、基部５の厚さ、即ち、三分割されたはね上げ長側壁３の厚さを、極力、薄くすることができる。
【００２６】
【発明の効果】
本考案は、以上説明したように構成されているので、以下に記載されるような効果を奏する。
【００２７】
はね上げ側壁を長側壁に形成するとともに、分割側壁を短側壁に形成し、且つ、一方のはね上げ側壁を、基部と中間スライド部と上部スライド部とにより構成したので、開口を大きくすることができ、従って、物品の取り出し作業や物品の収容作業の作業性が向上する。
【図面の簡単な説明】
【図１】図１は本発明の折り畳みコンテナーの箱型に組み立てられた状態の斜視図である。
【図２】図２は本発明の折り畳みコンテナーの折り畳み途中の斜視図である。
【図３】図３は本発明の折り畳みコンテナーを構成する一方のはね上げ長側壁の分解斜視図である。
【図４】図４は本発明の折り畳みコンテナーを構成する一方のはね上げ長側壁の上部スライド部の部分垂直断面図である。
【図５】図５は本発明の折り畳みコンテナーを構成する一方のはね上げ長側壁の正面図である。
【図６】図６は本発明の折り畳みコンテナーを構成する一方のはね上げ長側壁の上部スライド部が一段下げられた状態の正面図である。
【図７】図７は本発明の折り畳みコンテナーを構成する一方のはね上げ長側壁の上部スライド部が一段下げられた状態の折り畳みコンテナーの斜視図である。
【図８】図８は本発明の折り畳みコンテナーを構成する一方のはね上げ長側壁の上部スライド部が最大に下げられた状態の正面図である。
【図９】図９は本発明の折り畳みコンテナーを構成する一方のはね上げ長側壁の上部スライド部が最大に下げられた状態の折り畳みコンテナーの斜視図である。
【図１０】図９は本発明の箱型に組み立てられた状態の２つの折り畳みコンテナーが段積みされた状態の斜視図である。
【符号の説明】
１・・・・・・・・上部フレーム
２・・・・・・・・底部
３・・・・・・・・はね上げ長側壁
４・・・・・・・・分割短側壁
５・・・・・・・・基部
６・・・・・・・・中間スライド部
７・・・・・・・・上部スライド部
【図１】
0004585701.tif 000002
【図２】
0004585701.tif 000003
【図３】
0004585701.tif 000004
【図４】
0004585701.tif 000005
【図５】
0004585701.tif 000006
【図６】
0004585701.tif 000007
【図７】
0004585701.tif 000008
【図８】
0004585701.tif 000009
【図９】
0004585701.tif 000010
【図１０】
0004585701.tif 000011